(57)【要約】【課題】演目の内容に応じた入退場時の照明演出を実現すること。【解決手段】実施形態の一例に係る照明システムは、所定の設置位置に常設されると共に演目のメインステージにおける演出に直接用いられない照明装置であって、出力する光の色温度を可変することが可能である照明装置と；メインステージの演目に合わせて前記照明装置が出力する光の色温度を制御する制御装置と；を有する。【選択図】図１
2018142494.tif 000002
【特許請求の範囲】
【請求項１】
所定の設置位置に常設されると共に演目のメインステージにおける演出に直接用いられない照明装置であって、出力する光の色温度を可変することが可能である照明装置と；
メインステージの演目に合わせて前記照明装置が出力する光の色温度を制御する制御装置と；
を具備することを特徴とする照明システム。
【請求項２】
前記照明装置には、所定の色温度よりも高い光を出力する半導体発光素子、および、所定の色温度よりも低い光を出力する半導体発光素子が搭載され、
前記制御装置は、
前記照明装置が出力する光を所定の色温度に保つ場合の前記半導体発光素子それぞれの調光割合を記憶する記憶部と、
前記調光割合を用いて前記照明装置が出力する光を制御する第１モード、または、前記半導体発光素子それぞれを個別に制御する第２モードのいずれかに切り替え可能な切替部と
を具備することを特徴とする請求項１に記載の照明システム。
【請求項３】
前記記憶部は、所定の白色領域で調光度が異なる光を出力する際の調光割合を記憶する
ことを特徴とする請求項２に記載の照明システム。
【請求項４】
前記照明装置は、演目会場におけるメインステージ以外を照明する客席を照明するためのものであって、メインステージの演出に対して客先の照明雰囲気を連係制御することによって演出前後又は演出中に光出力を可変する
ことを特徴とする請求項１〜３のいずれか１つに記載の照明システム。
【発明の詳細な説明】
【技術分野】
【０００１】
本発明の実施形態は、照明システムに関する。
【背景技術】
【０００２】
従来、舞台等の各種施設には、演出用の照明装置に加えて、客席や廊下等を照明するための照明装置（以下、「施設用の照明装置」と記載する。）が設置されている。このような施設用の照明装置は、客席や廊下の天井等といった所定の位置に常設固定される形で設置され、入退場時の地明かりや清掃時の作業等として用いられており、一般にハロゲン電球が採用されている。しかしながら、施設用の照明装置にハロゲン電球を採用した場合は、入退場時における照明態様が固定の態様となるので、演目の内容に応じた照明演出を実現できない。
【先行技術文献】
【特許文献】
【０００３】
【特許文献１】特開２０１３−１６４９８６号公報
【発明の概要】
【発明が解決しようとする課題】
【０００４】
本発明が解決しようとする課題は、演目の内容に応じた客席や廊下等の一般常設照明設の照明演出を実現することである。一般常設照明設備とは、例えば、大容量のスポットライトなどメインステージ（舞台）上の空間演出照明装置以外であって、入退場時や清掃時に使用するダウンライトや、廊下、エントランスの誘導灯など、固定され必ず必要な照明設備を示す。
【課題を解決するための手段】
【０００５】
実施形態に係る照明システムは、所定の設置位置に常設されると共に演目のメインステージにおける演出に直接用いられない照明装置であって、出力する光の色温度を可変することが可能である照明装置と；メインステージの演目に合わせて前記照明装置が出力する光の色温度を制御する制御装置と；を有する。
【発明の効果】
【０００６】
実施形態の一例に係る照明システムによれば、演目の内容に応じた入退場時や客席を明るくする必要のある場合の照明演出を実現できる。
【図面の簡単な説明】
【０００７】
【図１】図１は、実施形態に係る照明システムの一例を示す図である。
【図２】図２は、実施形態に係る照明システムが有する機能構成の一例について説明する図である。
【図３】図３は、実施形態に係る制御テーブルの一例を示す図である。
【図４】図４は、実施形態に係る色温度制御の流れの一例を示すフローチャートである。
【０００８】
以下、図面を参照して、実施形態に係る照明システムを説明する。実施形態において同一の機能を有する構成には同一の符号を付し、重複する説明は省略する。なお、以下の実施形態で説明する照明システムは、一例を示すに過ぎず、実施形態を限定するものではない。例えば、以下の実施形態では、照明システムは、劇場や映画館等といった各種施設に設置されるものとするが、これらの施設以外にも、公民館等の公共機関やビルディング等、任意の施設に設置可能であるものとする。なお、以下の各実施形態は、矛盾しない範囲内で適宜組みあわせてもよい。
【０００９】
以下の実施形態にかかる照明システム１は、照明装置２００ａ〜２００ｃ（以下、「照明装置２００」と総称する。）と、制御装置１００とを具備する。照明装置２００は、所定の設置位置に常設されると共に演目のメインステージにおける演出に直接用いられない照明装置であって、出力する光の色温度を可変することが可能である照明装置である。制御装置１００は、メインステージの演目に合わせて照明装置２００が出力する光の色温度を制御する。
【００１０】
また、以下の実施形態にかかる照明装置２００には、所定の色温度よりも高い光を出力する半導体発光素子（例えば、光源部２０３）、および、所定の色温度よりも低い光を出力する半導体発光素子（例えば、光源部２０４）が搭載される。また、以下の実施形態にかかる制御装置１００は、記憶部１０２と、切り替えスイッチ１０５とを具備する。記憶部１０２は、照明装置が出力する光を所定の色温度に保つ場合の半導体発光素子それぞれの調光割合を記憶する。切り替えスイッチ１０５は、記憶部１０２に記憶される調光割合を用いて照明装置２００が出力する光を制御する第１モード（例えば、ハロゲンモード）、または、半導体発光素子それぞれを個別に制御する第２モード（例えば、独立モード）のいずれかに切り替える。
【００１１】
また、以下の実施形態にかかる制御装置１００では、記憶部１０２は、所定の白色領域で調光度が異なる光を出力する際の調光割合を記憶する。
【００１２】
また、以下の実施形態にかかる照明装置２００は、演目会場におけるメインステージ以外を照明する客席を照明するためのものであって、メインステージの演出に対して客先の照明雰囲気を連係制御することによって演出前後又は演出中に光出力を可変する。
【００１３】
［実施形態］
（照明システムの概要）
以下、照明システム１の一例について説明する。図１は、実施形態に係る照明システムの一例を示す図である。図１に示す例では、照明システム１は、制御装置１００、分電盤２０、配線３０、４０、複数の照明装置２００ａ〜２００ｃ、３００ａ〜３００ｃ（以下、「照明装置３００」と総称する。）、および電力配線ＥＬを有する。なお、照明システム１は、任意の数の制御装置１００および照明装置２００、３００、および分電盤２０が接続されていてもよい。また、図１に示す例では、照明システム１が有する制御装置１００に、照明制御装置１０が接続されている例について記載した。ここで、照明制御装置１０は、照明システム１に含まれていてもよく、含まれていなくともよい。
【００１４】
まず、照明装置２００、３００について説明する。照明装置２００は、ＰＷＭ（パルス幅変調:  Pulse  Width  Modulation）信号による直流定電流制御を行う照明機器であり、例えば、照明装置２００は、それぞれ出力する光の色温度が異なる２つ以上のＬＥＤ（Light  Emitting  Diodes）等の半導体発光素子を有し、電力配線ＥＬを介して分電盤２０から供給される１００ボルトの交流電力を駆動元としてＤＣ（Direct  Current）電源を生成し、制御装置１００から受信したＰＷＭ信号が示す調光度で半導体発光素子を点灯させることで、所定の位置の照明を行う。尚、光源の制御方式は交流位相制御などでも良い。また、制御信号もシリアル信号などＰＷＭ信号に限定するものではない。すなわち、照明装置２００は、制御装置１００が出力する各種の調光信号に従って光の色や調光度を制御する照明装置であれば、任意の照明装置が採用可能である。
【００１５】
また、照明装置２００は、所定の設置位置に常設される。例えば、照明装置２００は、舞台施設等の演目会場におけるステージ以外を照明する照明装置が常設される設置位置に常設される。例えば、照明装置２００は、舞台施設において、客席、廊下、誘導路、エントランス等に配設された照明装置であり、より具体的には、各位置を照明するために照明装置２００が常設される設置位置として、舞台施設に施工された設置位置（例えば、照明装置２００を設置する凹部等）に常設固定される照明装置である。
【００１６】
照明装置３００は、電力配線ＥＬを介して分電盤２０から供給される１００ボルトの交流電力を駆動元として、照明制御装置１０から受付けたＤＭＸ５１２規格にそったＤＭＸ信号や、ＲＤＭ（Remote  Device  Management）規格にそったＲＤＭ信号により、出力する光の強度（すなわち、調光度）や、出力する光の色彩を制御可能な照明機器であり、例えば、ＬＥＤ等の半導体発光素子により舞台の照明を行う照明装置である。
【００１７】
照明制御装置１０は、所謂調光卓や制御卓と呼ばれる装置により実現され、オペレータによる操作に基づき、照明装置２００の制御を行う。例えば、照明制御装置１０は、プリセットフェーダやマスタフェーダ、ボタン等の操作部を有し、操作部を介して利用者から照明装置２００、３００の調光度や色彩の制御を受付ける。このような場合、照明制御装置１０は、制御内容を示すＤＭＸ信号を制御装置１００を介して出力することで、照明装置２００、３００の制御を行う。例えば、照明制御装置１０は、照明装置２００の調光度の制御を受付けた場合は、制御内容を示すＤＭＸ信号を制御装置１００へと出力し、照明装置３００の調光度や色彩の制御を受付けた場合は、制御内容を示すＤＭＸ信号を照明装置３００へと出力する。
【００１８】
分電盤２０は、配線ＥＬを介して、各照明装置２００、３００に対し、駆動元となる交流電力を供給する分電盤である。
【００１９】
制御装置１００は、ＤＭＸ信号に基づいて、照明装置２００の調光制御を行う装置であり、例えば、ＤＭＸ信号をＰＷＭ信号に変換する変換ボックス等により実現される。例えば、制御装置１００は、演目に合わせて照明制御装置１０が操作されることに応じて、照明制御装置１０から受信したＤＭＸ信号に基づいて、照明装置２００が出力する光の調光度や色温度を制御する。
【００２０】
例えば、制御装置１００は、照明制御装置１０から照明装置２００の調光度を示すＤＭＸ信号を受付けると、受付けたＤＭＸ信号をＰＷＭ信号に変換し、変換したＰＷＭ信号を照明装置２００へと出力する。この結果、制御装置１００は、ＤＭＸ信号が示す調光度で照明装置２００を点灯させることができる。
【００２１】
配線３０は、制御装置１００から照明装置２００へとＰＷＭ信号を伝達する配線である。例えば、配線３０は、照明システム１が設置された施設において、制御装置１００から各照明装置２００が設置されている設置位置まで延伸される電源線により実現される。また、配線４０は、照明制御装置１０から照明装置３００にＤＭＸ信号を伝達する信号線である。
【００２２】
（照明システムが実行する制御について）
ここで、従来、客席の天井やエントランスの照明装置には、白熱電球が主に用いられ、白熱電球から出力される光の調光度を変更するといった制御を行っていた。近年、半導体発光素子を用いた照明装置（以下、「ＬＥＤ照明」と記載する場合がある。）の普及に伴い、白熱電球等の照明装置をＬＥＤ照明へと変更する需要が生じている。また、観客の入退場時において、客席などの照明態様を上演される演目の内容に応じた照明態様にしたいといった要望が考えられる。しかしながら、このような施設用の照明装置にハロゲン電球を採用した場合は、入退場時における照明態様が固定の態様となるので、演目の内容に応じた入退場時の照明演出を実現できない。一方で、このような施設用の照明装置には、ＬＥＤ照明へと変更したうえで白熱電球と同様の調光変化も求められる。
【００２３】
そこで、実施形態に係る照明システム１は、以下の制御を行う。まず、照明システム１は、上述したように、各位置を照明するために常設固定された複数の照明装置２００を有する。このような照明装置２００は、所定の設置位置に常設されると共に演目のメインステージにおける演出に直接用いられない照明装置であって、出力する光の色温度を可変することが可能な照明装置である。そして、制御装置１００は、メインステージの演目に合わせて、照明装置２００が出力する光の色温度を制御する。
【００２４】
例えば、照明装置２００は、所定の色温度よりも高い光を出力する半導体発光素子、および、所定の色温度よりも低い光を出力する半導体発光素子を有し、これらの半導体発光素子が出力する光を制御することで、出力する光の色温度を可変とする。そして、例えば、制御装置１００は、ジャズ等の少し暗い雰囲気の演目が最初に上演される場合、客席入場時等に、色温度がある程度低い態様で客席や廊下の照明を行う。この結果、演目が開始された際に、照明の雰囲気が急に変化してしまうといった態様を防ぐことができ、上演前から客席や廊下の雰囲気を演目に応じた雰囲気に設定することができる。また、演目終了時においても、演目に応じた態様で客席や廊下の照明を行うので、入場時や退場時の雰囲気を演目に応じて制御することができる。このように、制御装置１００は、演目会場におけるメインステージ以外を照明する客席を照明するためのものであって、メインステージの演出に対して客先の照明雰囲気を連係制御することによって演出前後又は演出中に光出力を可変することができる。
【００２５】
また、講演会などでは、色温度を上げた明るい照明が求められる場合が多い。このような場合においても、照明システム１は、講演に合わせた色温度で客席や廊下を照明することができる。また、小さな子供向けの演目の場合、客席をある程度明るく照明しながら演目を上演することが多い。このような場合であっても、照明システム１は、演目の雰囲気に合わせた色温度で客席を照明することができるので、メインステージとの一体感を醸成し、演目の雰囲気が損なわれるのを防ぐことができる。
【００２６】
また、制御装置１００は、照明装置２００が出力する光を所定の色温度に保つ場合のＬＥＤそれぞれの調光割合を記憶する。また、制御装置１００は、調光割合を用いて照明装置２００が出力する光を制御するハロゲンモード、または、ＬＥＤそれぞれを個別に制御する独立モードのいずれかに切り替えることを可能とする。
【００２７】
すなわち、照明装置２００に出力する光の色温度が異なる複数のＬＥＤを設置した場合、各ＬＥＤごとに調光度を制御することとなり、使用するＤＭＸチャンネル数の増大や、操作性の悪化を招く恐れがある。しかしながら、照明システム１においては、照明装置２００が出力する光を所定の色温度に保つ場合のＬＥＤそれぞれの調光割合を記憶し、記憶した調光割合を用いて照明装置２００が出力する光を制御するハロゲンモードを備える。このため、照明システム１は、照明装置２００をＬＥＤ化した場合であっても、照明制御装置１０から受信した１チャンネルのＤＭＸ信号の値に基づき、各ＬＥＤが出力する光の調光度を制御する。例えば、照明システム１は、従来のハロゲンランプが出力する光の色温度を再現するように、照明装置２００が出力する光の調光度を制御する。
【００２８】
このため、照明システム１は、従来のハロゲン照明と同様の調光制御を実現することができる。例えば、照明システム１は、照明装置２００を従来のハロゲン照明と同様に制御したい場合は、ハロゲンモードに設定することで、１つのフェーダ操作により照明装置２００の制御を実現することができる。一方、照明システム１は、照明装置２００が出力する光の色温度を調整したい場合は、独立モードを設定することにより、照明装置２００が出力する光の色温度の調節を２つのフェーダ操作により実現できる。
【００２９】
なお、制御装置１００は、ハロゲン照明と同様の色温度の光で調光を行う際の各ＬＥＤの調光割合を記憶してもよく、例えば、各種任意の電球色あるいは所定の昼白色の光で調光を行う際の調光度を記憶することで、各色温度での調光を実現するようにしてもよい。
【００３０】
（照明システムの機能構成について）
以下、図２を用いて、照明システム１が有する機能構成の一例について説明する。図２は、実施形態に係る照明システムが有する機能構成の一例について説明する図である。
【００３１】
まず、照明制御装置１０の機能構成の一例について説明する。図２に示す例では、照明制御装置１０は、ＤＭＸ通信部１１、表示部１２、制御部１３、および操作部１４を有する。ＤＭＸ通信部１１は、制御装置１００に対してＤＭＸ信号を出力する通信部であり、ＤＭＸ端子等により実現される。
【００３２】
表示部１２は、調光制御に関する各種の情報を表示するための表示装置であり、例えば、液晶パネル等により実現される。例えば、表示部１２は、制御部１３の制御により、照明システム１が有する各種の照明装置の調光度や、各照明装置とフェーダとの対応等を表示する。
【００３３】
制御部１３は、各種の情報処理を実行する演算装置であり、例えば、ＣＰＵ（Central  Processing  Unit）、ＭＰＵ（Micro  Processing  Unit）等の電子回路や、ＡＳＩＣ（Application  Specific  Integrated  Circuit）、ＦＰＧＡ（Field  Programmable  Gate  Array）等の集積回路を採用できる。例えば、制御部１３は、オペレータが照明装置２００と対応する操作部１４を操作することにより、照明装置２００の調光度を変更した場合は、ＤＭＸ通信部１１を介して、変更後の調光度を示すＤＭＸ信号を制御装置１００へと出力する。
【００３４】
操作部１４は、調光度の制御等、各種照明装置に対する制御を受付ける制御装置であり、例えば、フェーダ等により実現される。
【００３５】
続いて、制御装置１００が有する機能構成の一例について説明する。制御装置１００は、ＤＭＸ通信部１０１、記憶部１０２、変換部１０４、および切り替えスイッチ１０５を有する。ＤＭＸ通信部１０１は、照明制御装置１０のＤＭＸ通信部１１から出力されたＤＭＸ信号を受信する通信部であり、ＤＭＸ端子等により実現される。
【００３６】
記憶部１０２は、照明装置２００が出力する光を所定の色温度に保つ場合に照明装置２００の各ＬＥＤが出力する光の割合である調光割合を記憶する記憶装置であり、例えば、ＲＡＭ（Random  Access  Memory）、フラッシュメモリ（Flash  Memory）等の半導体メモリ素子等によって実現される。具体的には、記憶部１０２は、昼白色や電球色等、色温度が所定の白色領域の光を照明装置２００に出力させる場合、どれくらいの調光度で各ＬＥＤを点灯されればよいかを示す制御テーブル１０３を記憶する。
【００３７】
例えば、図３は、実施形態に係る制御テーブルの一例を示す図である。図３の例では、制御テーブル１０３は、「モード」、「ＤＭＸアドレス」、「調光度（パーセントまたは２５６段階）」、「光源♯１（色温度：高）」、「光源♯２（色温度：低）」といった項目を有する。
【００３８】
ここで、「モード」とは、照明装置２００をハロゲンモード（第１モードの一例）、または、独立モード（第２モードの一例）のいずれで制御するかを示す情報である。ハロゲンモードは、調光割合の組合せを用いて照明装置２００が出力する光を制御するモードである。また、ハロゲンモードは、調光割合の組合せを用いることにより、例えば、オペレータによる１つのフェーダ操作で、異なる２つのＬＥＤの色温度を同時に制御することが可能なモードである。一方、独立モードは、調光割合の組合せを用いるものではなく、異なる２つのＬＥＤを個別に制御するモードである。
【００３９】
また、ＤＭＸアドレスとは、照明装置２００を制御する際に用いるＤＭＸアドレスである。また、「調光度」とは、照明制御装置１０から受信した調光度の範囲を示す情報である。また、「光源♯１（色温度：高）」とは、対応付けられた調光度の範囲に含まれる調光度が指示された場合に、出力する光の色温度が高いＬＥＤ（例えば、光源部２０３）をどれくらいの調光度で出力するかを示す情報である。「光源♯２（色温度：低）」とは、対応付けられた調光度の範囲に含まれる調光度が指示された場合に、出力する光の色温度が低いＬＥＤ（例えば、光源部２０４）をどれくらいの調光度で出力するかを示す情報である。
【００４０】
ここで、図３に示すように、ハロゲンモードには１つのＤＭＸアドレス「１」が対応付けられており、独立モードには２つのＤＭＸアドレス「１」、「２」が対応付けられている。そして、ハロゲンモードにおいては、ある１つの調光度に対して、光源＃１および光源＃２が出力する光の調光度が対応付けられている。このため、ハロゲンモードにおいては、ＤＭＸアドレス「１」が対応付けられたフェーダを操作するのみで、照明装置２００が有する複数のＬＥＤを一斉に制御することができる。
【００４１】
一方、独立モードにおいては、各ＤＭＸアドレスに対して、光源＃１または光源＃２のいずれか一方の調光度が対応付けられている。このため、例えば、独立モードにおいては、ＤＭＸアドレス「１」が対応付けられるフェーダを操作することにより、「光源♯１」のみを制御でき、ＤＭＸアドレス「２」が対応付けられるフェーダを操作することにより、「光源♯２」のみを制御できる。
【００４２】
例えば、図３に示す例では、制御テーブル１０３には、モード「ハロゲンモード」、ＤＭＸアドレス「１」、調光度「０〜２０」、光源＃１「０〜２５」、および光源＃２「０〜１０」が対応付けて登録されている。このような情報は、ＤＭＸ信号の調光度が「０〜２０（パーセント）」の範囲に含まれる場合は、光源＃１を「０〜２５（パーセント）」の調光度で制御させ、光源＃２を「０〜１０（パーセント）」の調光度で制御させる旨を示す。例えば、このような情報は、ＤＭＸ信号の調光度が「２０（パーセント）」であった場合は、光源＃１を「２５（パーセント）」で点灯させ、光源＃２を「１０（パーセント）」で点灯させる旨を示す。
【００４３】
図２に戻り、説明を続ける。変換部１０４は、切り替えスイッチ１０５が示すモードに応じて、照明制御装置１０から受信したＤＭＸ信号をＰＷＭ信号に変換する。例えば、制御装置１００は、モードの切り替えスイッチ１０５を備え、ＲＤＭ信号のモード切替機能などを使用して、モードの切り替えをオペレータから受付けている。例えば、切り替えスイッチ１０５は、内部モードの設置記憶値をオペレータの遠隔操作に応じて、制御装置１００をハロゲンモード、または、独立モードのいずれかに切り替える。なお、切り替えスイッチは、機械的なトグルスイッチ等により実現されてもよい。
【００４４】
そして、変換部１０４は、例えば、ハロゲンモードで動作する際に、ＤＭＸアドレス「１」を示すＤＭＸ信号を受信した場合は、ＤＭＸ信号が示す調光度と対応する光源＃１および光源＃２の調光度を、予めハロゲンの変化に合わせて２つの光源の出力値を決めた制御テーブル１０３から読み出す。例えば、変換部１０４は、ＤＭＸ信号が調光度「５０」を示す場合、調光度「５０」が含まれる範囲「４０〜６０」を制御テーブル１０３から特定する。ここで、調光度「５０」は、特定した範囲の中央値となるので、変換部１０４は、範囲「４１〜６０」と対応付けられた各光源の調光度の範囲のうち、中央値である「５５」および「２５」を算出する。そして、変換部１０４は、光源＃１の調光度を「５５（パーセント）」に調光するＰＷＭ信号と、光源＃２の調光度を「２５（パーセント）」に調光するＰＷＭ信号とを生成する。そして、変換部１０４は、生成したＰＷＭ信号を照明装置２００に出力する。
【００４５】
また、独立モードの場合２つのアドレスの分解能は通常１バイトであるため２５６階調となり、ＰＷＭの値を設定できない微妙な調色の調整が出来なくなる。ハロゲンモードの場合、予めハロゲンの変化に合わせて、２５６階調では設定できない２つの光源のＰＷＭ出力値を決めことができるため、ハロゲンの調色変化により合わせた明りを表現できる。
【００４６】
一方、変換部１０４は、例えば、独立モードで動作する際に、ＤＭＸアドレス「１」を示すＤＭＸ信号を受信した場合は、光源＃１の調光度をＤＭＸ信号が示す調光度に設定する。また、変換部１０４は、例えば、独立モードで動作する際に、ＤＭＸアドレス「２」を示すＤＭＸ信号を受信した場合は、光源＃２の調光度をＤＭＸ信号が示す調光度に設定する。
【００４７】
次に、照明装置２００が有する機能構成の一例について説明する。照明装置２００は、ＰＷＭ受信部２０１、制御部２０２、光源部２０３、および光源部２０４を有する。ＰＷＭ受信部２０１は、制御装置１００の変換部１０４から送信されＰＷＭ信号を受信する。
【００４８】
制御部２０２は、ＰＷＭ受信部２０１によって受信されたＰＷＭ信号に基づいて、光源部２０３および２０４を制御する。具体的には、制御部２０２は、ＰＷＭ受信部２０１によって受信されたＰＷＭ信号によって示される調光割合に応じた色温度の光を出力するよう光源部２０３および２０４を制御する。ここで、光源部２０３が「光源♯１」に対応し、光源部２０４が「光源♯２」に対応するものとする。
【００４９】
ここで、ＰＷＭ受信部２０１によって、「光源♯１」の調光度「５５（パーセント）」を示すＰＷＭ信号と、「光源♯２」の調光度「２５（パーセント）」を示すＰＷＭ信号とが受信されたとする。係る場合、制御部２０２は、調光度「５５（パーセント）」で光源部２０３を点灯させ、調光度「２５（パーセント）」で光源部２０４を点灯させる。
【００５０】
光源部２０３、２０４は、それぞれ個別に制御される光源部であって、例えば、ＬＥＤ等の半導体発光素子により実現される。また、光源部２０３は、出力する光の色温度が所定の色温度よりも高いＬＥＤであり、光源部２０４は、出力する光の色温度が所定の色温度よりも低いＬＥＤである。
【００５１】
（調光制御の流れの一例について）
次に、図４を用いて、実施形態に係る照明システム１が実行する色温度制御の流れの一例について説明する。図４は、実施形態に係る色温度制御の流れの一例を示すフローチャートである。
【００５２】
まず、制御装置１００は、照明制御装置１０からＤＭＸ信号を受信する（ステップＳ１０１）。このような場合、制御装置１００は、独立モードであるか否かを判定する（ステップＳ１０２）。そして、制御装置１００は、独立モードでないと判定した場合（ステップＳ１０２：Ｎｏ）、すなわち、ハロゲンモードであると判定した場合には、照明装置２００が出力する光の色温度が所定の色温度に保たれるように、色温度が異なる各光源部２０３、２０４を制御する（ステップＳ１０３）。一方、制御装置１００は、独立モードであると判定した場合（ステップＳ１０２：Ｙｅｓ）、各光源部２０３、２０４を独立して制御する（ステップＳ１０４）。
【００５３】
［各実施形態の変形例］
（構成について）
上述した各実施形態では、照明システム１は、ＰＷＭ信号により制御される照明装置２００と、ＤＭＸ信号により直接制御が可能な照明装置３００を有していた。しかしながら、実施形態は、これに限定されるものではない。例えば、照明システム１は、照明装置３００を有していなくともよい。また、照明システム１は、照明装置２００が施設の固定位置に常設される照明装置であれば、任意の施設に設置された照明システムであってよい。
【００５４】
また、照明装置２００は、例えば、出力する光の色温度がそれぞれ異なる３つ以上のＬＥＤを有していてもよい。このような場合、制御装置１００は、ある調光度が指定された場合に各ＬＥＤをどれくらいの調光度で点灯されるかを示す制御テーブル１０３を記憶することとなる。
【００５５】
（調光制御について）
また、上述した照明システム１が実行する調光制御は、あくまで一例であり、どのような調光度のＤＭＸ信号が受信された場合に、各光源部２０３、２０４をどれくらいの調光度で点灯させるかについては、任意の設定が可能である。すなわち、照明システム１は、演目に応じた色温度で照明装置２００による照明を行うことができるのあれば、任意の設定を制御テーブル１０３として採用してよい。
【００５６】
また、照明システム１は、ハロゲンモード以外にも、１つのＤＭＸアドレスにより、所定の色温度で照明装置２００の調光度を変動させる１つまたは複数のモードを有していてもよい。また、各モードには、それぞれ異なるＤＭＸアドレスが設定されることで、例えば、照明システム１は、入場時においては第１のモード（すなわち、第１の色温度）で調光を行い、退場時においては、第２のモード（すなわち、第２の色温度）で調光を行ってもよい。また、ハロゲンモード等、１つのフェーダで複数の光源部２０３、２０４を同時に調光するモードと、独立モードとの切替は、例えば、照明制御装置１０からのＤＭＸ信号により実現されてもよい。
【００５７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５８】
１  照明システム
１０  照明制御装置
１１  ＤＭＸ通信部
１２  表示部
１３  制御部
１４  操作部
１００  制御装置
１０１  ＤＭＸ通信部
１０２  記憶部
１０３  制御テーブル
１０４  変換部
１０５  切り替えスイッチ
２００  照明装置
２０１  ＰＷＭ受信部
２０２  制御部
２０３、２０４  光源部
【図１】
2018142494.tif 000003
【図２】
2018142494.tif 000004
【図３】
2018142494.tif 000005
【図４】
2018142494.tif 000006